(57)【特許請求の範囲】
【請求項１】
開け口（１ｄ）及びかしめピン（３）により固定されたタブ（２）を有するドリンク缶の上蓋（１ｂ）において、前記タブ（２）と前記上蓋（１ｂ）との間に指穴（５ａ，５ｂ）及びかしめピン（３）が挿通する遊び穴（６）を設けた高分子材料で形成された三角型の薄いフイルムシート（４）を挟み込み、前記タブ（２）を持ち上げ易くしたことを特徴とするドリンク缶の上蓋。
【発明の詳細な説明】
【０００１】
【発明の属する技術分野】
本発明は、ドリンク缶の飲み口を開けるための上蓋の構造に関するものである。
【０００２】
【従来の技術】
従来のドリンク缶の飲み口を開ける場合、缶の上蓋に設けてあるタブを指先にて起こし、テコの原理を用いて、タブの先端にて上蓋の一部分をこじ開けて口をあける方法がとられている。
しかし、タブを指先にて起こす場合、爪が長い場合とか、指先の力が弱い女性とか、男性でも指先が痛くなるとか、構造的に問題が発生していることは、今日では常識であった。
そのため、開ける補助器具が多々発明され、使用されているのが現状である。
しかし、補助器具は開けるのに大変便利な道具であっても、これを常に持ち歩く必要があった。
【０００３】
【発明が解決しようとする課題】
本発明は、従来からあるような飲み口を開けるための補助器具を用いず、蓋を力の弱い人でも簡単に開けやすくすると共に、現在市販されている種々のタブの構造を変更することなく、タブを起こして飲み口を開けるという同じ方法をフイルムシートを用いて行うことにより簡便に使用できることを目的としたものである。
【０００４】
【課題を解決するための手段】
上記の課題を解決するために、本発明のドリンク缶の上蓋は、開け口及びかしめピンにより固定されたタブを有するドリンク缶の上蓋において、前記タブと前記上蓋との間に指穴及びかしめピンが挿通する遊び穴を設けた高分子材料で形成された三角型の薄いフイルムシートを挟み込み、前記タブを持ち上げるときに、まずフイルムシートの両端を折りたたんで、これを指先にて摘まんで引き起こしながら、タブの指穴側の先端を指先が挿入しやすいように引き上げるようにする手段を講じたものである。
【０００５】
【発明の実施の形態】
【０００６】
本発明は、上述の手段を講じたことにより、従来のタブ２の構造を変更することなく、タブ２を上蓋１ｂにかしめピン３にてかしめ付けする時に、薄いフイルムシート４をタブの２の下面側に風呂敷を広げて敷いたような形態で、かつ、フイルムシート４をタブ２と上蓋１ｂとの間に挿入してパッキンを挿入したような形態でフイルムシート４を挿着したことにより、従来のタブ構造を有するドリンク缶に採用することができ、従来のドリンク缶の製造設備にフイルムシートを挿入する工程を加えることにより、従来の製造設備により製造することができる。
【０００７】
【実施例】
以下、図１、図２、図３、図４，図５に基づき本発明の実施例について詳細に説明する。
【０００８】
従来のドリンク缶は図５に示すように、タブ２がドリンク缶の上蓋１ｂに、かしめピン３にてしっかりとかしめ付けられ、ドリンク缶１ａの真空状態を保ちながら固着されている。従って、タブ指穴７ａの穴の下の指挿入部に指の先端を挿入し、かしめピン３を芯としてタブ２を引き起こし、タブテコ先端部７ｂをテコ状態にして、上蓋１ａの缶開け口１ｄをこじ開ける方法が採られている。
【０００９】
本発明は、上述した方法で開け口１ｄを開ける操作順序と異なり、即ち、従来の爪を挿入したりして、指９等にて直接タブ指穴７ａを起こしてこじ開ける方法と異なり、本発明はタブ２の下面全面にナイロン・ポリエステル・ビニロン・アクリルとかの高分子材料等にて作られた三角型のフイルムシート４を風呂敷を広げて敷いたような形態で挿入することにより、まず、従来のタブ指穴７ａに指９を挿入する操作を行う前に、フイルムシート４の両翼を指先にて起こし、次に、タブ２をフイルムシート４の両ひだにて包み込んで、指穴５ａ、５ｂを重ね合わせ、該指穴５ａ、５ｂに左手８の指を挿入してタブ２のタブ指穴７ａを上方向に引っ張り上げ、タブ２の先端のタブ指穴７ａを若干持ち上げた後、従来のように指９をタブ指穴７ａに挿入して開け口１ｄを開ける方法を採っている。
【００１０】
従って、従来問題とされていたタブ指穴７ａに指９の先端を挿入し、タブ２の先端を持ち上げる際、なかなか、指９の先端がタブ２の下面に挿入できなかったり、また、タブ２を持ち上げる初動作の力が強力であったりする等の問題が簡単に回避することが可能となった。
【００１１】
次に、本発明のもう一つの大きな特徴は、フイルムシート４にかしめピン３を挿通させるための遊び穴６をかしめピン３の径より大きく形成する（図１・図３参照）ことで、フイルムシート４の挿入の影響を除去し、かしめピン３とタブ２とのかしめ状態を、本発明のようなフイルムシートを用いない従来から採用されている方法と同じ状態に保持することができ、缶に従来と同じかしめ効果と気密状態を確実に保持することができることにある。
【００１２】
また、フイルムシート４に高分子材料の高張力と弾力に富んだ繊維製品を採用することにより、タブ２の高さもかさ張らず、ある程度の腰をもって薄くシート状に挿入することができ、薄いアルミ板を採用するよりも、使用にあたり、手にけがの無い安全なドリンク缶にすることができた。
【００１３】
また、金属板の場合には、立ち上がったシートを元の平らな状態に戻すことが煩わしいが、高分子材料の場合は、手を離すと完全では無いが、反発力により元の位置に戻る性質があり、飲む際の障害にならず、その効果は大である。
【００１４】
図４は、本発明の理想的なタブを開ける手、指等の動作を示しているが、指穴５ａ、５ｂを指にて、最初一気に、上方に引張ってもよく、力の弱い人は少し上方に引張り、指を挿入する隙間を確保するだけでもよく、各人の力を勘案して対処することが望ましい。
【００１５】
【発明の効果】
本発明は、フイルムのシートを、あらかじめタブと共にカシメ付けしておくため、ドリンク缶を自動販売機等から購入した場合、器具を用いることも無く、タブの先端を持ち上げるのに堅くて苦労することなく、誰でも簡単にタブの先端を持ち上げて、楽にタブの先端に指を挿入することができ、従来のようにタブの先端を直接指をこじいれて開ける必要がない。そのため、初動作に必要な強い力を必要とせず、女性にでも、力の弱い人にでも、高齢者にも簡単に開けることが出来るようになった。
【００１６】
また、タブの先端をこじ開ける補助器具を持ち歩く必要もなく、現代人の生活様式に適合したドリンク缶を提供できた。
【００１７】
また、爪の長い人にも、爪を傷つける危険性も少なくなり、効果が倍加した。
【図面の簡単な説明】
【図１】本発明の実施例を示す平面説明図である。
【図２】本発明の実施例を示すＡ−Ａ矢視断面図である。
【図３】フイルムシートの形状を示す平面説明図である。
【図４】本発明の使用状態をしめす説明図である。
【図５】  従来の一般的なタブ方式のドリンク缶の上蓋部の構造を示す説明図である。
【符号の説明】
１ａ・・・・・・・缶本体
１ｂ・・・・・・・缶上蓋
１ｃ・・・・・・・指挿入部
１ｄ・・・・・・・缶開け口
２・・・・・・・タブ
３・・・・・・・かしめピン
４・・・・・・・フイルムシート
５ａ、５ｂ・・・・・・・指穴
６・・・・・・・遊び穴
７ａ・・・・・・・タブ指穴
７ｂ・・・・・・・タブテコ先端部
８・・・・・・・左手
９・・・・・・・右手指
【図１】
0004224728.tif 000002
【図２】
0004224728.tif 000003
【図３】
0004224728.tif 000004
【図４】
0004224728.tif 000005
【図５】
0004224728.tif 000006